(57)【特許請求の範囲】
【請求項１】
設定手段と、表示手段と、転送手段と、制御手段とを備えるオーディオシステムであって、
前記設定手段は、音響特性を指定するパラメータの種類とその値を変更設定可能とし、
前記転送手段は、パラメータの種類とその値に基づいて入力信号に音響特性を付与する効果付与手段に対し、前記設定手段で変更設定されたパラメータの種類とその値を転送し、
前記制御手段は、前記設定手段で変更設定されたパラメータの種類が初期反射音の遅延時間を表す場合に、その値の変更に伴って、音源を表す画像の大きさを変更して前記表示手段に表示させることを特徴とするオーディオシステム。
【請求項２】
前記制御手段は、前記設定手段で変更設定されたパラメータの種類が空間の大きさを表す場合、その値の変更に伴って、空間を表す画像の大きさを変更して前記表示手段に表示させることを特徴とする請求項１記載のオーディオシステム。
【請求項３】
前記制御手段は、前記設定手段で変更設定されたパラメータの種類が音に対して付与する効果の大きさを表す場合、その値の変更に伴って、色彩を変更して前記表示手段に表示させることを特徴とする請求項１記載のオーディオシステム。
【請求項４】
ユーザによって行われる操作の内容に従って、音響特性を指定するパラメータの種類とその値を変更設定する工程と、
変更設定されたパラメータの種類が初期反射音の遅延時間を表す場合に、その値の変更に伴って、音源を表す画像の大きさを変更して表示手段に表示させる工程と
パラメータの種類とその値に基づいて入力信号に音響特性を付与する効果付与手段に対し、変更設定されたパラメータの種類とその値を転送する工程と、
を備えることを特徴とするオーディオシステムの制御方法。
【請求項５】
変更設定されたパラメータの種類が空間の大きさを表す場合に、その値の変更に伴って、空間を表す画像の大きさを変更して表示手段に表示させる工程を備えることを特徴とする請求項４記載のオーディオシステムの制御方法。
【請求項６】
変更設定されたパラメータの種類が音に対して付与する効果の大きさを表す場合に、その値の変更に伴って、色彩を変更して表示手段に表示させる工程を備えることを特徴とする請求項４記載のオーディオシステムの制御方法。
【請求項７】
コンピュータに、
音響特性を指定するパラメータの種類とその値を変更設定する設定機能と、
パラメータの種類とその値に基づいて入力信号に音響特性を付与する効果付与手段に対し、前記設定機能で変更設定されたパラメータの種類とその値を転送する転送機能と、
前記設定機能で設定されたパラメータの種類が初期反射音の遅延時間を表す場合に、その値の変更に伴って、音源を表す画像の大きさを変更して表示手段に表示させる制御機能と
を実現させるためのプログラムを記録するコンピュータ読み取り可能な記録媒体。
【請求項８】
請求項７記載の記録媒体において、
前記制御機能は、前記設定機能で変更設定されたパラメータの種類が空間の大きさを表す場合に、その値の変更に伴って、空間を表す画像の大きさを変更して表示手段に表示させることを特徴とする記録媒体。
【請求項９】
請求項７記載の記録媒体において、
前記制御機能は、前記設定機能で変更設定されたパラメータの種類が音に対して付与する効果の大きさを表す場合に、その値の変更に伴って、色彩を変更して表示手段に表示させることを特徴とする記録媒体。
【発明の詳細な説明】
【０００１】
【発明の属する技術分野】
本発明は、オーディオシステム、その制御方法および記録媒体に係り、特にＧＵＩ（Ｇｒａｐｈｉｃａｌ  Ｕｓｅｒ  Ｉｎｔｅｒｆａｃｅ）およびＤＳＰ（Ｄｉｇｉｔａｌ  Ｓｉｇｎａｌ  Ｐｒｏｃｅｓｓｏｒ）を用いて音響効果を変更することが可能なオーディオシステム、その制御方法および記録媒体に関する
【０００２】
【従来の技術】
図１３にスタンドアロン型の従来のオーディオ装置としてアンプ装置の概要構成ブロック図を示す。
アンプ装置ＡＳは、外部のＣＤプレーヤからディジタルまたはアナログオーディオ信号が入力されるＣＤプレーヤ用信号接続端子Ｔ１、外部のチューナからアナログオーディオ信号が入力されるチューナ用信号接続端子Ｔ２、第１補助接続端子Ｔ３、第２補助接続端子Ｔ４に接続されるとともに、図示しないＤ／Ａ変換回路およびＡ／Ｄ変換回路を有する入力セレクタＳＬと、入力セレクタＳＬを介して入力されるアナログオーディオ信号をディジタル信号処理（ＤＳＰ；Ｄｉｇｉｔａｌ  Ｓｉｇｎａｌ  Ｐｒｏｃｅｓｓｉｎｇ）した後、増幅してスピーカ端子Ｔｓを介して図示しないスピーカに出力するオーディオアンプ部ＡＭと、アンプ装置ＡＳ全体を制御するＣＰＵと、ＤＳＰ用の各種プログラムおよびＤＳＰ用データ並びに各種制御用プログラムおよび制御用データを格納するＲＯＭと、作業エリアとして機能し、各種データを一時的に記憶するＲＡＭと、選択中の音源、ＤＳＰモードなどの各種情報を表示する表示部ＤＳと、各種操作キーが設けられた操作パネルＰＮと、を備えて構成されている。
この場合において、入力セレクタＳＬ、ＣＰＵ、ＲＯＭ、ＲＡＭ、表示部ＤＳおよび操作パネルＰＮは、バス（ＢＵＳ）を介して相互に接続されている。
【０００３】
次に概要動作を説明する。
ＤＳＰを行わない場合には、ユーザが操作パネルの図示しない選択スイッチを操作すると、操作パネルの操作状態はバスを介してＣＰＵに通知され、ＣＰＵの制御下で入力セレクタＳＬがいずれかの接続端子をオーディオアンプ部ＡＭに接続する。
この結果、オーディオアンプ部ＡＭは、入力セレクタＳＬを介して外部の接続機器から入力されるアナログオーディオ信号もしくはディジタル信号を増幅して、スピーカ端子Ｔｓを介してスピーカから放音する。
これと並行して表示部ＤＳには、選択した音源の情報（例えば、ＣＤプレーヤ）等が表示されることとなる。
【０００４】
また、ＤＳＰを行う場合には、ユーザが操作パネルの図示しない選択スイッチおよび図示しないＤＳＰモード選択スイッチを操作すると、操作パネルの操作状態はバスを介してＣＰＵに通知され、ＣＰＵの制御下で入力セレクタＳＬがいずれかの接続端子から入力されるアナログオーディオ信号をＡ／Ｄ変換したもの、もしくはディジタルオーディオ信号を図示しないオーディオアンプ部ＡＭ内のＤＳＰ用ＲＡＭに順次格納する。
これに伴いＣＰＵは、ディジタルシグナルプロセッサとして機能し、選択されたＤＳＰモード（図では、「ＨＡＬＬ」、「ＪＡＺＺ」、「ＲＯＣＫ」、「ＤＩＳＣＯ」の４つのモードを示している。）に対応するプログラムをＲＡＭから読み出し、前述のＤＳＰ用ＲＡＭに格納されたディジタルオーディオ信号を処理し、オーディオアンプ部ＡＭは、ＤＳＰが施されたアナログオーディオ信号を増幅して、スピーカ端子Ｔｓを介してスピーカから放音する。
これと並行して表示部ＤＳには、選択した音源の情報（例えば、ＣＤプレーヤ）および選択したＤＳＰモード（例えば「ＪＡＺＺ」）等が表示されることとなる。
また、上述した各ＤＳＰモードは、各ＤＳＰモードに対応した音響効果が得られるように、メーカーによって予めＤＳＰパラメータのパラメータ値が設定されている。
さらに、ユーザがＤＳＰの各種パラメータを設定して記憶する機能を備えたアンプ装置もある。
【０００５】
【発明が解決しようとする課題】
しかしながら、従来のアンプ装置ＡＳにおけるＤＳＰパラメータの制御は、専門的な知識を要するため、音響に親しみのないユーザにとっては、ＤＳＰパラメータをどのように制御すれば、どのような効果があるのかを感覚的に認識することができなかった。
そこで、本発明は、上述した事情に鑑みてなされたものであり、ＤＳＰの各パラメータ値が音響効果に与える効果をユーザが視覚的に認識することができ、かつ、ユーザが容易に各パラメータ値を変更することが可能なオーディオシステム、その制御方法および記録媒体を提供することを目的とする。
【０００６】
【課題を解決するための手段】
上記課題を解決するため、本発明は、設定手段と、表示手段と、転送手段と、制御手段とを備えるオーディオシステムであって、前記設定手段は、音響特性を指定するパラメータの種類とその値を変更設定可能とし、前記転送手段は、パラメータの種類とその値に基づいて入力信号に音響特性を付与する効果付与手段に対し、前記設定手段で変更設定されたパラメータの種類とその値を転送し、前記制御手段は、前記設定手段で変更設定されたパラメータの種類が初期反射音の遅延時間を表す場合に、その値の変更に伴って、音源を表す画像の大きさを変更して前記表示手段に表示させることを特徴とするオーディオシステムを提供する。
【００２５】
【発明の実施の形態】
［１］  実施形態の構成
［１．１］  オーディオシステムの構成
図１にオーディオシステムの概要構成ブロック図を示す。
オーディオシステム１は、大別すると、図示しないチューナー部を有するレシーバ装置（＝チューナ内蔵型アンプ装置）２と、レシーバ装置２にＵＳＢインターフェイス１２を介して接続され、レシーバ装置２を制御するためのパーソナルコンピュータ１４と、を備えて構成されている。なお、ユーザの好みにより後述の第１補助接続端子２３にＭＤ（Ｍｉｎｉ  Ｄｉｓｃ）プレーヤ１５を接続したり、後述の第２補助接続端子２４にテープデッキ１６等を接続することにより、オーディオシステム１の拡張を図ることも可能である。
【００２６】
［１．２］  レシーバ装置の構成
［１．２．１］  レシーバ装置の概要構成
レシーバ装置２は、図１に示すように、パーソナルコンピュータ１４のサウンドカードからのディジタルオーディオ信号を入力するためのディジタルオーディオ信号接続端子２１、パーソナルコンピュータ１４のサウンドカードからのアナログオーディオ信号を入力するためのアナログオーディオ信号接続端子２２、ＭＤプレーヤ等の外部ディジタルオーディオ（記録）再生装置を接続し、ディジタルオーディオ信号あるいはアナログオーディオ信号が入力される第１補助接続端子２３、テープデッキ１６等の外部オーディオ（記録）再生装置を接続し、アナログオーディオ信号が入力される第２補助接続端子２４が接続されるとともに、後述するＵＳＢインターフェイス１２を介しＵＳＢ経由のオーディオ信号であるＰＣ−Ｕが入力され、図示しないＤ／Ａ変換回路およびＡ／Ｄ変換回路を有する入力セレクタ３と、入力セレクタ３を介して入力されるアナログオーディオ信号をディジタル信号処理を施した後、増幅してスピーカ端子５を介して図示しないスピーカに出力するオーディオアンプ部４と、ディジタル信号処理（ＤＳＰ；Ｄｉｇｉｔａｌ  Ｓｉｇｎａｌ  Ｐｒｏｃｅｓｓｉｎｇ）機能を有するＤＳＰ１８と、オーディオアンプ部４内において作業エリアとして機能し、各種データを一時的に記憶するＤＳＰ用ＲＡＭ４９と、各種操作キーが設けられた操作パネル６と、レシーバ装置２全体を制御するＣＰＵ７と、選択中の音源、ＤＳＰモードなどの各種情報を表示する表示装置８と、ＤＳＰ用の各種プログラムおよびＤＳＰ用データ並びに各種制御用プログラムおよび制御用データを格納するＲＯＭ９と、作業エリアとして機能し、各種データを一時的に記憶するＲＡＭ１０と、ＵＳＢ接続端子１３を介してパーソナルコンピュータ１４との間のインターフェイス動作、すなわち、制御信号をバス１１へ入出力しオーディオ信号（ＰＣ−Ｕ）を入力セレクタ３へ出力するＵＳＢインターフェイス１２と、を備えて構成されている。
この場合において、入力セレクタ３、オーディオアンプ部４、操作パネル６、ＣＰＵ７、表示装置８、ＲＯＭ９、ＲＡＭ１０およびＵＳＢインターフェイス、は、バス（ＢＵＳ）１１を介して相互に接続されている。
【００２７】
ここで、ＲＯＭ９には、レシーバ装置２をパーソナルコンピュータ１４から制御することができるようにするためのプログラムが格納されている。
また、ＲＡＭ１０内にある作業エリアは、ユーザにより設定されたＤＳＰ用の各パラメータ値等を自由に登録することができるとともに、登録された各パラメータ値等をバッテリバックアップにより一定期間保存することができる。
また、パーソナルコンピュータ１４は、単にレシーバ装置２におけるＤＳＰモードの切り替え操作を制御するだけではなく、ＤＳＰの各モードごとに設定可能な複数種のパラメータのパラメータ値をそれぞれ個別に変更することができるとともに、ＲＡＭ１０内にある作業エリアに対して各パラメータ値の変更登録処理を実行する。
さらに、パーソナルコンピュータ１４は、ＤＳＰの各パラメータ値に入力された値に対応するイメージデータを表示することができ、ユーザは、ＤＳＰの各モードにおける音響効果を視覚的に認識することが可能となる。
なお、以下に説明するＧＵＩ画面を構成するプログラムおよびグラフィックデータは、ＣＤ−ＲＯＭ等の記録媒体を用い、パーソナルコンピュータ１４に供給される物とする。
【００２８】
［１．２．２］  イメージデータの表示例
上述したＤＳＰの各パラメータ値に入力された値に対応するイメージデータについて、図４に示す表示例を参照して具体的に説明する。
まず、ＤＳＰのパラメータが、例えば、“Ｉｎｉｔｉａｌ  Ｄｅｌａｙ”パラメータである場合には、パラメータ値を標準値に設定した場合に表示される発音物（例えばピアノ等）のイメージの大きさが、標準の大きさの発音物ａ′として表示されることとすると、パラメータ値を標準値よりも長い値に設定した場合には、発音物のイメージの大きさが標準よりも小さい発音物ａで表示される。また、パラメータ値を標準値よりも短い値に設定した場合には、発音物のイメージの大きさが標準よりも大きい発音物ａ′′で表示される。
【００２９】
このように、発音物のイメージを大小で表示するのは、“Ｉｎｉｔｉａｌ  Ｄｅｌａｙ”パラメータのパラメータ値は、ある音が発音された場合に、受音点で観測される音圧のうち、第１ピーク時の音圧と第２ピーク時の音圧との間隔を時間で設定するパラメータ値であるため、当該音圧の間隔を長く設定すれば、発音物がより遠くにあることを示し、当該音圧の間隔を短く設定すれば、発音物がより近くにあることを示すことになるからである。
そして、ユーザは、“Ｉｎｉｔｉａｌ  Ｄｅｌａｙ”パラメータのパラメータ値を変更することによる影響が、発音物の大小によって対応付けられたイメージにより表示されるため、当該パラメータ値を変更することによる影響を視覚的に認識することができる。
【００３０】
次に、ＤＳＰのパラメータが、例えば、“Ｅｆｆｅｃｔ  Ｔｒｉｍ”パラメータである場合には、パラメータ値を標準値に設定した場合に表示されるイメージの周囲（例えば室内の壁や天井等）の色が、標準の濃淡の色ｂ′として表示されることとすると、パラメータ値を標準値よりも小さい値に設定した場合には、イメージの周囲の色が標準よりも淡い色ｂで表示される。また、パラメータ値を標準値よりも大きい値に設定した場合には、イメージの周囲の色が標準よりも濃い色ｂ′′で表示される。
【００３１】
このように、壁や天井のイメージを色の濃淡で表示するのは、“Ｅｆｆｅｃｔ  Ｔｒｉｍ”パラメータのパラメータ値は、音響の効果量全体のレベルを調整するパラメータ値であるため、当該音量を小さく設定すれば、音響の効果量全体のレベルがより小さくなることを示し、当該音量を大きく設定すれば、音響の効果量全体のレベルがより大きくなることを示すことになるからである。
そして、ユーザは、“Ｅｆｆｅｃｔ  Ｔｒｉｍ”パラメータのパラメータ値を変更することによる影響が、周囲の色の濃淡に対応付けられたイメージにより表示されるため、当該パラメータ値を変更することによる影響を視覚的に認識することができる。
【００３２】
次に、ＤＳＰのパラメータが、例えば、“Ｒｏｏｍ  Ｓｉｚｅ”パラメータである場合には、パラメータ値を標準値に設定した場合に表示されるイメージの空間（例えば室内の空間等）の大きさが、標準の大きさの空間ｃ′として表示されることとすると、パラメータ値を標準値よりも小さい値に設定した場合には、イメージの空間の大きさが標準よりも小さい空間ｃで表示される。また、パラメータ値を標準値よりも大きい値に設定した場合には、イメージの空間の大きさが標準よりも大きい空間ｃ′′で表示される。
【００３３】
このように、部屋のイメージを大小で表示するのは、“Ｒｏｏｍ  Ｓｉｚｅ”パラメータのパラメータ値は、音を聴くための空間を設定するパラメータ値であるため、当該空間の大きさを小さく設定すれば、音を聴くための空間がより小さくなることを示し、当該空間の大きさを大きく設定すれば、音を聴くための空間がより大きくなることを示すことになるからである。
そして、ユーザは、“Ｒｏｏｍ  Ｓｉｚｅ”パラメータのパラメータ値を変更することによる影響が音を聴くための空間に対応付けられたイメージにより表示されるため、当該パラメータ値を変更することによる影響を視覚的に認識することができる。
【００３４】
［１．２．３］  レシーバ装置のフロントパネルの構成
図２にレシーバ装置２のフロントパネルの外観図を示す。
レシーバ装置２のフロントパネルには、それぞれが操作パネル６の一部を構成する複数のスイッチが設けられている。
より具体的には、レシーバ装置２のフロントパネルに複数のスイッチとして、音源選択を行うためのセレクタスイッチ６ａ１  〜６ａ４と、ＤＳＰを機能させるか否かを指示するためのＤＳＰスイッチ６ｂと、ＤＳＰスイッチ６ｂとは排他的にオン状態に設定することが可能で、チューナ部使用時にプリセット選局を機能させるか否かを指示するためのプリセットスイッチ６ｃと、ＤＳＰスイッチ６ｂのオン時には、一対でＤＳＰモード選択スイッチとして機能し、プリセットスイッチ６ｃのオン時には、一対で選局スイッチとして機能するアップ／ダウンスイッチ６ｄ、６ｅと、音量調整用ボリュームスイッチ６ｆと、電源をオン／オフするための電源スイッチ６ｇと、が設けられている。
また、レシーバ装置２のフロントパネルには、ヘッドホンを接続するためのヘッドホンジャック５ｐが設けられている。
【００３５】
さらに、レシーバ装置２のフロントパネルには、それぞれが表示装置８の一部を構成する表示部が設けられている。
より具体的には、レシーバ装置２のフロントパネルに表示部として、バックライトが設けられたドットマトリクス透過型液晶ディスプレイや蛍光（ＦＬ：Ｆｌｕｏｒｅｓｃｅｎｔ  Ｌｕｍｉｎｅｓｃｅｎｃｅ）表示素子ディスプレイなどにより構成され、各種情報を表示する多機能表示部８ｄと、現在選択されている音源がディジタルオーディオ信号接続端子２１あるいはアナログオーディオ信号接続端子２２を介して接続されているパーソナルコンピュータ１４のサウンドカードである場合に点灯する第１インジケータ８ｉ１と、現在選択されている音源が第１補助接続端子２３を介して接続されている外部オーディオ（記録）再生装置である場合に点灯する第２インジケータ８ｉ２と、現在選択されている音源が第２補助接続端子２４を介して接続されている外部オーディオ（記録）再生装置である場合に点灯する第３インジケータ８ｉ３と、現在選択されている音源が内蔵のチューナ部である場合に点灯する第４インジケータ８ｉ４と、電源オン時に点灯する電源インジケータ８ｐと、が設けられている。
【００３６】
［１．２．４］  レシーバ装置のリアパネルの構成
図３にレシーバ装置２のリアパネルの外観図を示す。
レシーバ装置２のリアパネルには、上述したスピーカ端子５、ディジタルオーディオ信号接続端子２１、アナログオーディオ信号接続端子２２、第２補助接続端子２４、上述した第１補助接続端子２３を構成し、外部ディジタル（記録）再生装置からディジタルオーディオ信号が入力されるディジタルオーディオ信号補助接続端子２３１  およびアナログオーディオ信号が入力されるアナログオーディオ信号補助接続端子２３２並びにＵＳＢ接続端子１３の他、アンテナ端子（ＦＭ用アンテナ端子、ＡＭ用アンテナ端子、グランド用端子）、アナログオーディオ信号用出力端子およびサブウーファ接続用端子などが設けられている。
【００３７】
［２］  実施形態の動作
［２．１］  実施形態の具体的動作例
次に、オーディオシステム１におけるパーソナルコンピュータ１４から、ＤＳＰパラメータのパラメータ値を変更する場合の具体的動作例を図５乃至図１１を参照して説明する。
まず、図５は、各ＤＳＰパラメータのパラメータ値が標準値に設定されている場合に表示されるＤＳＰ設定画面の一例を示している。
同図によると、ＤＳＰ設定画面は、各ＤＳＰパラメータの名称を表示するＤＳＰパラメタ欄５１と、各ＤＳＰパラメータに対応するパラメータ値を３段階で設定するパラメータ操作子欄５２と、各パラメータ値の設定値に対応して変化するイメージ画像５０とで構成されている。
【００３８】
次に、図６は、“Ｉｎｉｔｉａｌ  Ｄｅｌａｙ”パラメータのパラメタ値を標準値よりも短い値に設定した場合に表示されるＤＳＰ設定画面例を示している。
図６に示されるイメージ画像６０が、パラメータ値を標準値に設定した場合に表示されるイメージ画像５０（図５）と違う点は、発音物であるピアノのイメージの大きさが違う点である。
具体的には、イメージ画像６０のピアノ６０ａの方が、イメージ画像５０のピアノ５０ａよりも大きくイメージされている点である。
これにより、ユーザは、“Ｉｎｉｔｉａｌ  Ｄｅｌａｙ”パラメータのパラメタ値を標準値よりも短い値に設定することによって、発音物であるピアノに対して、より近づいた場所で音を聴く場合と同じ効果が得られることを視覚的に認識することができる。
【００３９】
次に、図７は、“Ｉｎｉｔｉａｌ  Ｄｅｌａｙ”パラメータのパラメタ値を標準値よりも長い値に設定した場合に表示されるＤＳＰ設定画面例を示している。
図７に示されるイメージ画像７０が、パラメータ値を標準値に設定した場合に表示されるイメージ画像５０（図５）と違う点は、発音物であるピアノのイメージの大きさが違う点である。
具体的には、イメージ画像７０のピアノ７０ａの方が、イメージ画像５０のピアノ５０ａよりも小さくイメージされている点である。
これにより、ユーザは、“Ｉｎｉｔｉａｌ  Ｄｅｌａｙ”パラメータのパラメタ値を標準値よりも長い値に設定することによって、発音物であるピアノに対して、より遠ざかった場所で音を聴く場合と同じ効果が得られることを視覚的に認識することができる。
【００４０】
次に、図８は、“Ｅｆｆｅｃｔ  Ｔｒｉｍ”パラメータのパラメタ値を標準値よりも小さい値に設定した場合に表示されるＤＳＰ設定画面例を示している。
図８に示されるイメージ画像８０が、パラメータ値を標準値に設定した場合に表示されるイメージ画像５０（図５）と違う点は、部屋の周囲となる壁の色の濃淡が違う点である。
具体的には、イメージ画像８０の部屋の壁８０ｂの色の方が、イメージ画像５０の部屋の壁５０ｂの色よりも淡い色でイメージされている点である。
これにより、ユーザは、“Ｅｆｆｅｃｔ  Ｔｒｉｍ”パラメータのパラメタ値を標準値よりも小さい値に設定することによって、音響の効果量全体のレベルがより小さくなることを視覚的に認識することができる。
【００４１】
次に、図９は、“Ｅｆｆｅｃｔ  Ｔｒｉｍ”パラメータのパラメタ値を標準値よりも大きい値に設定した場合に表示されるＤＳＰ設定画面例を示している。
図９に示されるイメージ画像９０が、パラメータ値を標準値に設定した場合に表示されるイメージ画像５０（図５）と違う点は、部屋の周囲となる壁の色の濃淡が違う点である。
具体的には、イメージ画像９０の部屋の壁９０ｂの色の方が、イメージ画像５０の部屋の壁５０ｂの色よりも濃い色でイメージされている点である。
これにより、ユーザは、“Ｅｆｆｅｃｔ  Ｔｒｉｍ”パラメータのパラメタ値を標準値よりも大きい値に設定することによって、音響の効果量全体のレベルがより大きくなることを視覚的に認識することができる。
【００４２】
次に、図１０は、“Ｒｏｏｍ  Ｓｉｚｅ”パラメータのパラメタ値を標準値よりも小さい値に設定した場合に表示されるＤＳＰ設定画面例を示している。
図１０に示されるイメージ画像１００が、パラメータ値を標準値に設定した場合に表示されるイメージ画像５０（図５）と違う点は、部屋の空間の大きさが違う点である。
具体的には、イメージ画像１００の部屋の空間１００ｃの方が、イメージ画像５０の部屋の空間５０ｃよりも小さくイメージされている点である。
これにより、ユーザは、“Ｒｏｏｍ  Ｓｉｚｅ”パラメータのパラメタ値を標準値よりも小さい値に設定することによって、部屋の空間をより小さくした空間で音を聴く場合と同じ効果が得られることを視覚的に認識することができる。
【００４３】
次に、図１１は、“Ｒｏｏｍ  Ｓｉｚｅ”パラメータのパラメタ値を標準値よりも大きい値に設定した場合に表示されるＤＳＰ設定画面例を示している。
図１１に示されるイメージ画像１１０が、パラメータ値を標準値に設定した場合に表示されるイメージ画像５０（図５）と違う点は、部屋の空間の大きさが違う点である。
具体的には、イメージ画像１１０の部屋の空間１１０ｃの方が、イメージ画像５０の部屋の空間５０ｃよりも大きくイメージされている点である。
これにより、ユーザは、“Ｒｏｏｍ  Ｓｉｚｅ”パラメータのパラメタ値を標準値よりも大きい値に設定することによって、部屋の空間をより大きくした空間で音を聴く場合と同じ効果が得られることを視覚的に認識することができる。
【００４４】
［２．２］  実施形態の概略動作例
次に、オーディオシステム１におけるパーソナルコンピュータ１４から、ＤＳＰパラメータのパラメータ値の設定を行う場合の概略動作例を図１２を参照して説明する。また、当該動作例の説明において、前述した図５および図６に示されるＤＳＰ設定画面を適宜参照することとする。
まず、電源をオンにしてパーソナルコンピュータ１４を起動した後に、ＤＳＰ設定用のアプリケーションソフトを起動する（ステップＳ１）。
そして、パーソナルコンピュータ１４のディスプレイ上に、例えば、図５に示されるＤＳＰ設定画面が表示される（ステップＳ２）。
【００４５】
次に、ＤＳＰ設定画面から、ユーザが変更を希望するＤＳＰパラメータのパラメータ値を選択する（ステップＳ３）。
パラメータ値を選択することによって、ＤＳＰ設定画面上に表示されたイメージ画像が変更される（ステップＳ４）。
具体的には、ユーザーが、例えば、図５に示される“Ｉｎｉｔｉａｌ  Ｄｅｌａｙ”パラメータに対応するパラメータ操作子のうち、標準値よりも短い値に設定するための“−”を選択した場合には、イメージ画像５０が、図６に示されるイメージ画像６０に変更される。
これにより、ユーザは、“Ｉｎｉｔｉａｌ  Ｄｅｌａｙ”パラメータのパラメタ値を標準値よりも短い値に設定することによって、発音物であるピアノに対して、より近づいた場所で音を聴く場合と同じ効果が得られることを視覚的に認識することができる。
【００４６】
パラメータ値を変更することにより、各パラメータ値の変更後の値が、オーディオシステム１の本体に、ＵＳＢを介して転送される（ステップＳ６）。
そして、各パラメータ値の変更後の値を受信したオーディオシステム１の本体では、受信した変更後のパラメータ値をＲＡＭ１０内にある作業エリアに格納し、今後の音響処理は、変更後のパラメータ値によって行われる。
【００４７】
［３］  実施形態の効果
上述した実施形態によると、ユーザが、ＤＳＰ設定画面上に表示されたＤＳＰパラメータのパラメータ操作子から設定値を選択した場合には、選択した設定値に応じて、パラメータの内容ごとに対応付けられたイメージが変更されるため、パラメータ値を変更することによって影響が与えられる音響特性を視覚的に認識することができ、ＤＳＰのパラメータに対して専門的な知識が無くても気軽に音響効果を楽しむことができる。
【００４８】
［４］  変形例
［４．１］  第１変形例
なお、上述した実施形態におけるＤＳＰ設定画面では、パラメータとして、“Ｅｆｆｅｃｔ  Ｔｒｉｍ”パラメータ、“Ｒｏｏｍ  Ｓｉｚｅ”パラメータおよび“Ｉｎｉｔｉａｌ  Ｄｅｌａｙ”パラメータの３種類について表示しているが、ＤＳＰ設定画面において取り扱えるパラメータは、これら３種類のパラメータに限るものではなく、他のＤＳＰパラメータについても同様に取り扱うことができる。
【００４９】
［４．２］  第２変形例
また、上述した実施形態におけるＤＳＰ設定画面では、各パラメータのパラメータ値として、それぞれ３段階の設定値が用意されているが、ＤＳＰ設定画面において設定可能な設定値は、３段階である必要はなく、さらに多くの段階あるいはスライドバーなどの操作子によって連続的に設定ができるようにしてもよい。
【００５０】
［４．３］  第３変形例
また、上述した実施形態におけるＤＳＰ設定画面では、“Ｅｆｆｅｃｔ  Ｔｒｉｍ”パラメータのパラメタ値を変更した場合において、イメージ画像に描かれた部屋の壁や天井の色の濃淡を変更することによって“Ｅｆｆｅｃｔ  Ｔｒｉｍ”パラメータの変更の効果をイメージさせているが、イメージ画像に描かれた部屋の壁や天井の模様を変更することによって“Ｅｆｆｅｃｔ  Ｔｒｉｍ”パラメータの変更の効果をイメージさせてもよい。
【００５１】
【発明の効果】
上述したように本発明によれば、ＤＳＰの各パラメータ値が音響効果に与える効果をユーザが視覚的に認識することができ、かつ、ユーザが容易に各パラメータ値を変更することが可能なオーディオシステム、その制御方法および記録媒体を提供することができる。
【図面の簡単な説明】
【図１】本発明の実施形態におけるオーディオシステムの構成を示す図である。
【図２】同実施形態におけるオーディオシステムのフロントパネルの一例を示す図である。
【図３】同実施形態におけるオーディオシステムのリアパネルの一例を示す図である。
【図４】同実施形態におけるオーディオシステムのＰＣ側に表示されるイメージデータの表示例を示す図である。
【図５】同実施形態におけるオーディオシステムのＰＣ側に表示されるＤＳＰのパラメータ値に対応するイメージ画像の一例を示す図である。
【図６】同実施形態におけるオーディオシステムのＰＣ側に表示されるＤＳＰのパラメータ値に対応するイメージ画像の一例を示す図である。
【図７】同実施形態におけるオーディオシステムのＰＣ側に表示されるＤＳＰのパラメータ値に対応するイメージ画像の一例を示す図である。
【図８】同実施形態におけるオーディオシステムのＰＣ側に表示されるＤＳＰのパラメータ値に対応するイメージ画像の一例を示す図である。
【図９】同実施形態におけるオーディオシステムのＰＣ側に表示されるＤＳＰのパラメータ値に対応するイメージ画像の一例を示す図である。
【図１０】同実施形態におけるオーディオシステムのＰＣ側に表示されるＤＳＰのパラメータ値に対応するイメージ画像の一例を示す図である。
【図１１】同実施形態におけるオーディオシステムのＰＣ側に表示されるＤＳＰのパラメータ値に対応するイメージ画像の一例を示す図である。
【図１２】同実施形態におけるオーディオシステムの概略動作例を示す図である。
【図１３】従来におけるオーディオシステムの構成を示す図である。
【符号の説明】
１…オーディオシステム、１４…パーソナルコンピュータ（イメージ表示手段、操作子表示手段）
【図１】
0003587088.tif 000002
【図２】
0003587088.tif 000003
【図３】
0003587088.tif 000004
【図４】
0003587088.tif 000005
【図５】
0003587088.tif 000006
【図６】
0003587088.tif 000007
【図７】
0003587088.tif 000008
【図８】
0003587088.tif 000009
【図９】
0003587088.tif 000010
【図１０】
0003587088.tif 000011
【図１１】
0003587088.tif 000012
【図１２】
0003587088.tif 000013
【図１３】
0003587088.tif 000014